(57)【要約】【課題】この発明は、マッサージ効果を最も効率よく発揮できるように構成したウォーターベッド構造を提供する。【解決手段】この発明は、水又は湯を充満した貯水槽の上部開口部に防水性の可撓性シートを張設し、貯水槽の内部から可撓性シートに向けてジェット噴射して可撓性シートに横臥した人体を可撓性シートを介して押圧してマッサージ効果を付与するように構成したウォーターベッドにおいて、貯水槽の槽ケースに槽ケース外部の電動機に接続した回転軸を軸架すると共に、回転軸に沿って長手方向に移動自在のノズル基台を配設し、前記回転軸に横摺動変換機構を介して直交状態に横移動体を連動連設し、前記横移動体に噴射ホースを有した噴射ノズルを装着することにより、しかも、横摺動変換機構と左右の横移動体と噴射ノズルとにより直交ノズル機構を構成し、前記直交ノズル機構は前記ノズル基台に搭載することにより槽ケースの長手方向を移動可能に構成したことを特徴とするウォーターベッド構造を提供する。【選択図】図１
2015154909.tif 000002
【特許請求の範囲】
【請求項１】
水又は湯を充満した貯水槽の上部開口部に防水性の可撓性シートを張設し、貯水槽の内部から可撓性シートに向けてジェット噴射して可撓性シートに横臥した人体を可撓性シートを介して押圧してマッサージ効果を付与するように構成したウォーターベッドにおいて、貯水槽の槽ケースに槽ケース外部の電動機に接続した回転軸を軸架すると共に、回転軸に沿って長手方向に移動自在のノズル基台を配設し、前記回転軸に横摺動変換機構を介して直交状態に横移動体を連動連設し、前記横移動体に噴射ホースを有した噴射ノズルを装着することにより、しかも、横摺動変換機構と左右の横移動体と噴射ノズルとにより直交ノズル機構を構成し、前記直交ノズル機構は前記ノズル基台に搭載することにより槽ケースの長手方向を移動可能に構成したことを特徴とするウォーターベッド構造。
【請求項２】
前記横摺動変換機構は、ピニオン、ラックの組合せにより構成したことを特徴とする請求項１に記載のウォーターベッド構造。
【請求項３】
前記横摺動変換機構は、ベベルギヤと螺旋軸と螺旋軸に螺合した横移動体とにより構成したことを特徴とする請求項１に記載のウォーターベッド構造。
【請求項４】
前記横摺動変換機構は、ウォームギヤと螺旋軸と螺旋軸に螺合した横移動体とにより構成したことを特徴とする請求項１に記載のウォーターベッド構造。
【請求項５】
前記横摺動変換機構は、操作ワイヤにより構成したことを特徴とする請求項１に記載のウォーターベッド構造。
【請求項６】
直交作動する左右の前記横移動体はノズル基台に敷設した移動レールに摺動自在に載置したことにも特徴を有する請求項1〜５の何れか１項に記載のウォーターベッド構造。
【発明の詳細な説明】
【技術分野】
【０００１】
この発明は、マッサージ効果を最も効率よく発揮できるように構成したウォーターベッド構造に関する。
【背景技術】
【０００２】
従来、ウォーターベッドは、水又は湯を満たした貯水槽の上部開口部を防水性の可撓性シートを張設しその内部から可撓性シートに向かって水又は湯を噴射することにより可撓性シート上に横臥した人体を可撓性シートを介して押圧することによりマッサージ効果を奏するように構成したものであった。
【０００３】
かかるウォーターベッドにおいて最も重要な点は、マッサージ効果を最大に発揮するためにジェット噴射を如何に効果的に行うかである。
【０００４】
そのために、ジェット噴射するためのノズルを人体の頭部近傍から足方向に向かって往復運動しながらその過程で一定の円弧運動もするように構成して単なる縦方向の直線的な単純指圧ではなく人体局部周辺にできるだけ万遍なく噴射圧を及ぼすようにしたものがある（例えば、特許文献１，２参照。）。
【０００５】
かかる従来の発明は、円弧運動を主体とした指圧マッサージ治療を目的としたものであり、その構造は図９に示すように噴射ノズル５５を左右噛合したギヤ５７に取付け半円弧運動しながら人体の身長に沿って直線移動するように構成したものであり、例えば左右のギヤの噛み合わせによりノズルに離反、近接の半回転変位を与えて人体局部周辺に万遍なく噴射圧を及ぼすように構成したものである。
【先行技術文献】
【特許文献】
【０００６】
【特許文献１】特開２００３−２６０１０３号公報
【特許文献２】特開平８−２５２２９３号公報
【発明の概要】
【発明が解決しようとする課題】
【０００７】
しかし、かかるギヤを利用した発明は、いわゆる「つぼ」と言われる指圧局所が脊椎の左右に点在して存在しているために半円弧状のノズルの動きは「つぼ」の一点でしか該当しないことになり、指圧効果は半減し指圧マッサージの感覚を常時持続させることができないという欠点があった。
【課題を解決するための手段】
【０００８】
この発明は、水又は湯を充満した貯水槽の上部開口部に防水性の可撓性シートを張設し、貯水槽の内部から可撓性シートに向けてジェット噴射して可撓性シートに横臥した人体を可撓性シートを介して押圧してマッサージ効果を付与するように構成したウォーターベッドにおいて、貯水槽の槽ケースに槽ケース外部の電動機に接続した回転軸を軸架すると共に、回転軸に沿って長手方向に移動自在のノズル基台を配設し、前記回転軸に横摺動変換機構を介して直交状態に横移動体を連動連設し、前記横移動体に噴射ホースを有した噴射ノズルを装着することにより、しかも、横摺動変換機構と左右の横移動体と噴射ノズルとにより直交ノズル機構を構成し、前記直交ノズル機構は前記ノズル基台に搭載することにより槽ケースの長手方向を移動可能に構成したことを特徴とするウォーターベッド構造を提供するものである。      
【０００９】
また、横摺動変換機構は、ピニオン、ラックの組合せにより構成したことにも特徴を有する。
【００１０】
また、横摺動変換機構は、ベベルギヤと螺旋軸と螺旋軸に螺合した横移動体とにより構成したことにも特徴を有する。
【００１１】
また、横摺動変換機構は、ウォームギヤと螺旋軸と螺旋軸に螺合した横移動体とにより構成したことにも特徴を有する。
【００１２】
また、横摺動変換機構は、操作ワイヤにより構成したことにも特徴を有する。
【００１３】
また、直交作動する左右の横移動体はノズル基台に敷設した移動レールに摺動自在に載置したことにも特徴を有する。
【発明の効果】
【００１４】
請求項１〜５に記載の本発明によれば、貯水槽の槽ケースに槽ケース外部の電動機に接続した回転軸を軸架し、前記回転軸に横摺動変換機構を介して左右の横移動体を直交作動可能に連動連設し、前記横移動体に噴射ホースを有した噴射ノズルを装着し、しかも、横摺動変換機構、左右の横移動体及び噴射ノズルが一体で槽ケースの長手方向を移動可能とした直交動力機構を設けたことにより、噴射ノズルは横臥した人体の長手方向に沿って移動しながら同時に、或いは一旦停止状態で横方向にも直線的に移動することができ、人体の脊椎の両側に直線的にノズルの噴射圧を当てることができる。従って、人体の脊椎の両側に点在する各種のいわゆる「つぼ」に所望の時間、スポット的にマッサージ効果を及ぼすことができることになり、従来十分にできなかった脊椎両側や首筋周辺の「つぼ」の刺激を持続的にかつ適確に施術することができる効果がある。
【００１５】
特に、横摺動変換機構が操作ワイヤにより構成されている場合は、原動機（モータ）などの動力源から横移動体に至る連動機構が回転軸とワイヤのみになるため、回転軸のトルクが中途機構の摩擦抵抗や連動タイミング等によるトルク消失を招くことが可及的に低減し、動力源からのトルクを効率良く横移動体の転動に反映することができると共に、操作ワイヤを使用するためギヤ形状の連動機構と比較してコスト上有利となり機構的にも簡素化でき、故障の発生も可及的に低減することができ、更には回転軸から操作ワイヤ及び横移動体に直接にトルクを伝動するものであるため移動即応性が高く、その分人体のつぼへの変位対応性が良好となる。例えば、ギヤ構造によるトルク伝動の場合には、横移動体が作動するまでに要する時間を操作ワイヤと対比すると同一トルクの場合は、多くの時間を要し横移動体の作動時間を操作ワイヤと同じにするためには操作ワイヤよりも大きなトルクを回転軸に要する。
【００１６】
従って、同じトルクで横移動体を作動させる場合の両者のタイムラグは決められた時間内での加療時間において人体のつぼを加圧、マッサージする本来の治療時間に差を生起し、操作ワイヤ以外のギヤ構造の場合は、本来の加療時間が少なくなりマッサージ等の治療効果が異なる欠点を有していたが、操作ワイヤによる連動機構とすることによりかかる欠点を解消し得る効果を有する。
【００１７】
更には、電動機が槽ケースの外部に配置されているために貯水槽内の空間を有効に使用することができ、また電動機の防水施工も不要となり構造的にも有利である。
【００１８】
更には、回転軸による長手方向の変位作動と左右の横移動体の横移動とを組合わせて作動制御することにより水平直線や傾斜直線や半円弧状等の噴射ノズルの動きを実現し、多様な形態で症状に合致した指圧マッサージ効果を奏することができる。
【００１９】
また、請求項６に記載の発明によれば、左右の噴射ノズルは左右の横移動体に装着し、左右の横移動体はノズル基台に敷設した支持レールに摺動自在に載置したために簡単な構造により噴射ノズルは安定して確実に直線移動を行うことができる効果がある。
【図面の簡単な説明】
【００２０】
【図１】本発明のウォーターベッド構造を示す平面図である。
【図２】図１におけるＩ−Ｉ線断面視図である。
【図３】図１におけるＩＩ−ＩＩ線断面視図である。
【図４】本発明のウォーターベッド構造を示す要部の拡大平面図である。
【図５】本発明のウォーターベッド構造の噴射ノズルの作動構造に関する模式説明図である。
【図６】本発明の横摺動変換機構の他の実施例を示す模式説明図である。
【図７】本発明の横摺動変換機構の他の実施例を示す説明図である。
【図８】本発明の横摺動変換機構の他の実施例を示す説明図である。
【図９】従来の噴射ノズルの構造を示す説明図である。
【図１０】本発明の横摺動変換機構の他の実施例を示す平面図である。
【図１１】本発明の横摺動変換機構の他の実施例の構造を示す斜視図である。
【図１２】本発明の横摺動変換機構の他の実施例を示す模式図である。
【図１３】本発明の横摺動変換機構の他の実施例を示す模式図である
【発明を実施するための形態】
【００２１】
この発明を図面に基づき詳説すれば、図１は本発明のウォーターベッド構造を示す平面図であり、図２は図１におけるＩ−Ｉ線断面視図であり、図３は図１におけるＩＩ−ＩＩ線断面視図、図４は要部の拡大平面図、図５は噴射ノズルの作動構造に関する模式説明図である。
【００２２】
本発明のウォーターベッド構造に関するウォーターベッドＡは、図１〜３に示すように、水又は湯を充満した貯水槽１の上部開口部３ａに防水性の可撓性シート５を張設しており、貯水槽１の内部には可撓性シート５に向けて水又は湯を噴射可能に構成した噴射ノズル３５が収納されており、可撓性シート５に横臥した人体の所要のいわゆる「つぼ」に噴射圧をかけて可撓性シート５を介して「つぼ」にマッサージ施術を行うことができるように構成されている。
【００２３】
長手状の貯水槽１の槽ケース底部３ｂには前後部に前後スプロケット７が架設されている。図中、９ａ，９ｂは、前後スプロケット７を支持するための前後軸であり、槽ケース底部３ｂに載設した左右軸支持台１１に軸架されている。また、前後軸９ａ，９ｂの一方は槽ケース３内部に設置したモータ５１により回転自在に構成されている。
【００２４】
かかる前後スプロケット７間には回動チェーン１３が懸架されており、回動チェーン１３の中途部にはノズル基台１５が一体に取付けられており、ノズル基台１５は回動チェーン１３の回動にともない槽ケース内長手方向を往復するように構成されている。図中、１０は槽ケース底部３ｂにおいてノズル基台１５を支持するために敷設した基台レールである。
【００２５】
また、貯水槽１の槽ケース３の長手方向中央には回転軸１７が軸架されている。回転軸１７は周面に多数のスプライン溝が刻設されたスプライン軸１７ａを構成している。スプライン軸１７ａには、図３に示すように、横摺動変換機構としてピニオン１９がスプライン嵌合されており、ピニオン１９はスプライン軸１７ａに沿って摺動可能であると共にスプライン軸１７ａの回転に伴い同時に回転するように構成されている。
【００２６】
図４に示すように、ピニオン１９の上下方には上方ラック２１ａと下方ラック２１ｂとが噛合しており、上下方ラック２１は、後述する支持脚体２７ａを介してノズル基台１５に敷設したラックレール２３上にそれぞれ摺動自在に支持されている。しかも、上下方ラック２１には、それぞれ左右の横移動体２５が一体に連設されている。
【００２７】
具体的には、上方ラック２１ａには、左右一方の横移動体２５を連設し、それに左右一方の噴射ノズル３５が連設されており、下方ラック２１ｂには、他方の横移動体２５を連設し、それに他方の噴射ノズル３５が連設されている。従って、ピニオン１９の回転により、上下方ラック２１は横摺動しながら互いに離反、接近する。
【００２８】
更には、ピニオン１９が装着されたスプライン軸１７ａは、ピニオン１９が正逆回転可能なようにリミットスイッチを介して正逆回転を繰り返すように構成している。
【００２９】
このようにピニオン１９はスプライン軸１７ａを介して一定周期毎に正逆回転をするために同期して上下方ラック２１が一定周期で離反、接近の横変位作動を行う。このような上下方ラック２１の横変位作動に伴い後述するように左右の横移動体２５が一体で左右摺動し、左右の噴射ノズル３５に直線的な離反、接近距離を付与する。
【００３０】
上方ラック２１ａは下端に支持脚体２７ａを垂設し、支持脚体２７ａをラックレール２３上に摺動自在に載置すると共に、上方ラック２１ａに連設した左右一方の横移動体２５をラックレール２３に並設した移動レール３３上に摺動自在に載置しており、このように上方ラック２１ａは支持脚体２７ａと横移動体２５を介してラックレール２３と移動レール３３上を安定して横摺動できるように構成されている。
【００３１】
また、上方ラック２１ａと下方ラック２１ｂとはラック板２９ａ，２９ｂと一体に連設されて配設されており当然にピニオン１９を間に挟んで上下方で横方向に摺動できる。上述のとおり、上方ラック２１ａの先端の側面には支持脚体２７ａが垂設されており、その下端部はラックレール２３上を移動可能なように取り付けられている。これにより、支持脚体２７ａは、上方ラック２１ａ及び連設されたラック板２９を支持すると共に、横摺動可能に構成されている。
【００３２】
また、下方ラック２１ｂと一体に連設されたラック板２９ｂの先端には、ラックレール２３上に摺動自在に支持脚体２７ｂが載置している。この支持脚体２７ｂは、上方ラックに取り付けた支持脚体２７ａとラックレール２３上で干渉しないように設けられている。すなわち、図４（ａ）に示すように、左右の噴射ノズル３５に最も離反して、支持脚体２７ａ，２７ｂが最も近づく場合であっても一定の距離を保つように設けられている。これにより、下方ラック２１ｂとラック板２９を支持すると共に、安定して横摺動可能に構成されている。
【００３３】
また、上方ラック板２９ａの中央には、窓部を形成し、窓部に回転軸としてのスプライン軸１７ａを貫通しており、しかも、上下方ラック板２９と左右の横移動体２５及び支持脚体２７との連結部分のうち、下方ラック板２９ｂと一方の横移動体２５及び支持脚体２７ｂとの連結部は上方ラック板２９ａの中央の窓部を挿貫し、横移動体２５及び支持脚体２７の連結部が互いに交差せずにかつ上方ラック板２９ａと干渉しないで横摺動可能に構成されている。
【００３４】
上述した横摺動変換機構と左右の横移動体２５と噴射ノズル３５とは、一体となって直交ノズル機構を構成しており、直交ノズル機構は後述するノズル基台１５に搭載されて回転軸１７に沿って前後摺動可能に構成されている。
【００３５】
横摺動変換機構は、上記のようにピニオン１９とラック２１の組合せにより構成されているものであるが他の実施例としては、以下に述べるような図６に示すベベルギヤ４３と螺旋軸４９と、図１０に示す操作ワイヤ８０を介した構造が考えられる。
【００３６】
すなわち、スプライン軸１７ａにはノズル基台１５に設けたベベルギヤ４３のうちの入力ギヤ４５が固設されている。
【００３７】
スプライン軸１７ａの端部は槽ケース３の外部に配設した電動機５３の出力軸と連結されており、従って、スプライン軸１７ａが回転すればベベルギヤ４３の入力ギヤ４５が回転してそれに噛合した出力ベベルギヤ４７がスプライン軸１７ａと直交する方向で回転し、出力ベベルギヤ４７に一体の螺旋軸４９がスプライン軸１７ａに対して直交する方向で回転する。しかも、この螺旋軸４９には左右の横移動体２５が螺合しており螺旋軸４９の回転により横移動体２５はスプライン軸１７ａと直交する方向で横移動して横移動体２５に一体の噴射ノズル３５を横移動させることができる。
【００３８】
上記のベベルギヤ４３、螺旋軸４９、横移動体２５及び噴射ノズル３５は前述のピニオン・ラック機構と同様に一体となって直交ノズル機構を構成しており、直交ノズル機構は槽ケース３の長手方向を往復移動するノズル基台１５に搭載されている。
【００３９】
また、横摺動変換機構の他の実施例として図７，図８に示すウォームギヤ５９と、螺旋軸４９とを介した構造が考えられる。
【００４０】
すなわち、スプライン軸１７ａはウォームホイール５９ｂを挿通しており、ノズル基台１５に設けた螺旋軸４９の端部に連設したウォーム５９ａと噛合している。
【００４１】
ウォーターベッドＡの槽ケース３の長手方向端部に軸架されたスプライン軸１７ａは、槽ケース３の外部に配設した電動機５３の出力軸と連結されている。従って、スプライン軸１７ａが回転すればウォームホイール５９ｂが回転してそれに噛合したウォーム５９ａがスプライン軸１７ａと直交する方向で回転し、ウォーム５９ａに一体の螺旋軸４９がスプライン軸１７ａに対して直交する方向で回転する。しかも、ウォームホイール５９ｂは、ノズル基台１５に設置した支持板６３ｂに設けたガイド６１に挟まれており、スプライン軸１７ａを軸方向にスライド自在に構成されている。このため、ウォームホイール５９ｂは、ノズル基台１５の移動に伴って移動することができる。
【００４２】
また、螺旋軸４９は左右の横移動体２５を挿通して螺合しており螺旋軸４９の回転により横移動体２５はスプライン軸１７ａと直交する方向で横移動して横移動体２５に一体の噴射ノズル３５を横移動させることができる。この螺旋軸４９は、図８に示すように、ノズル基台１５中央に設けた支持板６３ａを境に螺旋の方向を逆に設けた右螺旋軸４９−１、左螺旋軸４９−２より構成しており、従って、螺旋軸４９の回転作動により左右の横移動体２５が一体で移動レール３３上をそれぞれ逆方向に左右摺動し、左右の噴射ノズル３５に直線的な離反、接近距離を付与することができる。
【００４３】
上記のウォームギヤ５９、螺旋軸４９、横移動体２５及び噴射ノズル３５は一体となって直交ノズル機構を構成しており、直交ノズル機構は槽ケース３の長手方向を往復移動するノズル基台１５に搭載されている。
【００４４】
以下、直交動力機構を主体とした具体的なノズル基台１５の構造を図５に基づき詳説する。
ノズル基台１５は方形状の平板よりなり、外底面には下方に張設した回動チェーン１３と係合するチェーン連結部３９を設けており、基台上には直交ノズル機構が設置されている。
【００４５】
前記左右の横移動体２５はノズル基台１５に敷設した移動レール３３上を支持されながら摺動すると共に、左右の噴射ノズル３５がそれぞれ装着されたノズル台３７が一体に突設されており、左右の横移動体２５の離反、接合の変位作動にともない左右のノズル台３７に設けた左右の噴射ノズル３５も横方向に一直線に離反、近接自在に変位する。
【００４６】
左右の噴射ノズル３５には噴射ホース４１がそれぞれ連通されており、噴射ホース４１基端は槽ケース３に固定されて外部から水又は湯を噴射可能としている。
【００４７】
また、左右の噴射ノズル３５は上方に向けて立設され貯水槽１内の水中から可撓性シート５に向けて水又は湯を噴射し、横臥した人体に押圧を施しながらマッサージを施術する。
【００４８】
回動チェーン１３の回転速度と回転軸の回転速度とはそれぞれの動力源を制御することにより相互の作動を制御する制御部を設けており、噴射ノズル３５の縦方向と横方向との移動形態の制御を行う。
【００４９】
すなわち、回動チェーン１３の回転速度と回転軸としてのスプライン軸１７ａの回転速度とは、噴射ノズル３５の作動軌跡に直接的に関係するものであり、例えば回動チェーン１３の回転速度を緩慢に制御すれば噴射ノズル３５の横一直線の移動軌跡は横移動角度が小さい状態となる。このように回動チェーン１３の回転速度と直交ノズル機構に連動連結した回転軸との回転速度とをそれぞれの動力源の制御をすることにより相互の作動制御をして噴射ノズル３５の縦方向と横方向との移動形態の制御を行うことができるように構成されている。
【００５０】
従って、回動チェーン１３の回転速度を急速方向に制御すれば噴射ノズル３５の横移動角度は大きくなり、このように回動チェーン１３の回転速度を緩急自在に制御することにより噴射ノズル３５の一直線の横移動と組み合わせにより移動途中で噴射ノズル３５の横移動角度を自在に変化させることができる。また、回動チェーン１３の回転速度と回転方向を要所において緩急自在に、かつ正逆反対方向に制御すれば噴射ノズル３５の動きを半円弧状にしたり、半楕円状にすることができる。
【００５１】
このように、回動チェーン１３と回転軸１７との作動速度の制御をすることにより、いわゆる「つぼ」の位置や症状に応じて横臥した人体に対して噴射ノズルの動きの形態を制御することができることになり、マッサージ効果をデリケートに調整して最も効果的な施術が可能となる。
【００５２】
この発明は上記のように構成されており、その施術の手順を説明する。
まず、貯水槽１に水又は湯を充満させると共に上方に張設した可撓性シート５に人体を横臥させる。次いで回動チェーン１３を回転作動すればチェーンと一体のノズル基台１５は人体の長手方向に沿って縦移動する。同時に回転軸１７を回転させれば、回転軸１７にスプライン嵌合したピニオン１９が作動し、これに噛合した上下方ラック２１が横移動して離反、近接の作動を行い、上下方ラックと一体の左右の横移動体２５も互いに離反、近接方向に移動し横移動体２５と一体の支持脚体２７は噴射ノズル３５と共に横移動する。しかも、制御部の操作により回動チェーン１３の回動速度と回転軸１７の回転速度とを制御することにより噴射ノズル３５の縦方向及び横方向の移動形態制御を行い多様な指圧効果を実現できる。
【００５３】
また、他の実施例としては、図１０〜図１３に示すように、モータ５１により、長手状の貯水槽１の前後に張設した回動ワイヤ７０を回動操作することにより、回動ワイヤ７０の中途に取り付けたノズル基台１５を貯水槽１の長手方向に沿って基台レール１０上を移動自在としている。回動ワイヤ７０は前述の実施例の回動チェーン１３に該当する。
【００５４】
回動ワイヤ７０は、貯水槽１の前後に架設した前後ワイヤローラ７１，７２に懸架されており、特にモータ５１の出力部に直結した前ワイヤローラ７１には、回動ワイヤ７０の中途部を数回巻回重複しワイヤ全長の延長部分を余剰の巻回状態としており、これは回動ワイヤ７０を一定の弛緩状態とすることによりモータ５１の駆動力が直接に回動ワイヤ７０の張力を介して、ノズル基台１５に移動衝撃を与えることを防止するためと、正逆回転する前ワイヤローラ７１によって回動ワイヤ７０が前後に回動する前ワイヤローラ７１のみでノズル基台１５を前後に摺動可能とするためである。
【００５５】
回動ワイヤ７０の両端はノズル基台１５の前端７３と後端７４に固定連設されている。従って、モータ５１の左右回転駆動により前ワイヤローラ７１を左右に回転することにより回動ワイヤ７０は前後方向に巻き取られることになり、回動ワイヤ７０の前後方向への巻取によってノズル基台１５は前方向或いは後方向へ移動する。なお、１０はノズル基台１５の前後摺動ガイドする基台レールを示し、貯水槽１の底部に左右二本敷設されており、ノズル基台１５の底部には、基台レール１０と遊嵌する複数（例えば、４個）の転動子７５が垂設されている。
【００５６】
上記のような構成により、モータ５１の正逆回転制御により前ワイヤローラ７１を正逆回転させて前ワイヤローラ７１に幾重にも巻回した回動ワイヤ７０を、前方向或いは後方向に回動させて回動ワイヤ７０に連結固定したノズル基台１５を前後進させる。
【００５７】
次に、ノズル基台１５上には近接、離反自在に横摺動する左右の横移動体２５，２５が搭載されており、かかる横移動体２５，２５の近接離反作動は次のように行われる。すなわち、電動機５３の出力部と左右の横移動体２５，２５との間には操作ワイヤ８０が架設されており、電動機５３の出力部には、貯水槽１の後端部一側方に横方向に軸架した第１ローラ８１が連動連結されており、貯水槽１の前端部一側方には第２ローラ８２が横方向に軸架されており、ノズル基台１５の外側縁には、一定間隔の前後に縦向きの第１，第２ロープ転換ローラ８３，８４が軸支されており、ノズル基台１５の反対側縁中央には縦向きの折返しローラ８５が軸支されている。
【００５８】
そして、第１，第２ローラ８１，８２と第１，第２ロープ転換ローラ８３，８４と折返しローラ８５との間には一本の操作ワイヤ８０が懸架されており、その中途部、すなわち、第１ロープ転換ローラ８３と折返しローラ８５との間に懸架した操作ワイヤ８０の中途部には右側の横移動体２５が介在連結されており、第２ロープ転換ローラ８４と折返しローラ８５との間に懸架した操作ワイヤ８０の中途部には左側の横移動体２５が介在連結されている。
【００５９】
上記のように操作ワイヤ８０は次の各部位より構成されている。すなわち、第１ローラ８１と第２ローラ８２との間の離反用引張り部位８０ａと、第２ローラ８２と第１ロープ転換ローラ８３との間の従動部位８０ｂと、第１ロープ転換ローラ８３と折返しローラ８５との間の離反部位８０ｃと、折返しローラ８５と第２ロープ転換ローラ８４との間の近接部位８０ｄと、第２ロープ転換ローラ８４と第１ローラ８１との間の近接用引張り部位８０ｅとにより構成されている。
【００６０】
そして、横移動体２５，２５の近接離反操作は次のような手順で行われる。すなわち、電動機５３を一定方向（横移動体２５，２５の離反方向）に回転させると、第１ローラ８１の回転を介して、第１ローラ８１に巻取り巻回された操作ワイヤ８０、すなわち、第１ローラ８１と第２ローラ８２間の離反用引張り部位８０ａが第１ローラ８１に巻き取られて引っ張られると共に、第２ローラ８２によって折り返されて従動部位８０ｂも引っ張られる。
【００６１】
従動部位８０ｂが引っ張られると、第１ロープ転換ローラ８３で略直角方向に転換伸延した離反部位８０ｃも引っ張られてその中途に介在連結した横移動体２５も外側方向、すなわち、離反方向に引張り移動される。離反部位８０ｃの一端部位は折返しローラ８５で反対方向に折り返されて近接部位８０ｄへ伸延し、近接部位８０ｄの引張によりその中途に介在連結した横移動体２５が外側方向、すなわち、離反方向に引張り移動される。このようにして左右二個の横移動体２５，２５は操作ワイヤ８０を介し調時して離反方向に移動することになる。
【００６２】
他方、電動機５３を一定方向、すなわち、横移動体２５，２５の近接方向に回転させれば第１ローラ８１と第２ロープ転換ローラ８４との間の近接用引張り部位８０ｅが引っ張られ、その先端部位は第２ロープ転換ローラ８４により略直角に転換されて近接部位８０ｄを引っ張ることになる。従って近接部位８０ｄに介在連結した一方の横移動体２５も内側方向、すなわち、近接方向に移動する。しかも、近接部位８０ｄの先端部位は折返しローラ８５で折り返されて離反部位８０ｃに至るため、近接部位８０ｄの中途に介在連結した他方の横移動体２５も内側方向、すなわち、近接方向に移動する。このようにして、左右二個の横移動体２５，２５は操作ワイヤ８０を介して調時して近接方向に移動する。
【００６３】
以上のように、電動機５３の正逆転操作を行うことにより左右二個の横移動体２５，２５は操作ワイヤ８０を介してノズル基台１５上で左右方向に近接離反移動する。横移動体２５，２５の近接離反移動により噴射ノズル３５も左右に移動し、各種の人体部位への指圧、マッサージ機能を果す。なお、各横移動体２５，２５の前後縁部には、それぞれ二個ずつの滑動転子８６を縦方向に軸支しており、ノズル基台１５の前後縁部には断面略コ字状の前後レール８７，８７を敷設しており、滑動転子８６は前後レール８７，８７に遊嵌して二個の横移動体２５，２５の移動をガイドするように構成されている。
【００６４】
以上、詳説するように他の実施例においては、回動ワイヤ７０をモータ５１により所定方向に引張り回動操作することにより、回動ワイヤ７０の中途部に介在連結したノズル基台１５を前後方向に移動させると共に、電動機５３により横移動体２５，２５を中途部に介在連結した操作ワイヤ８０を所定方向に引張り操作することにより左右の横移動体２５，２５をノズル基台１５上で前後レール８７，８７に沿って左右方向に近接離反作動させることができる。これにともない、横移動体２５，２５にそれぞれ装着した噴射ノズル３５も左右の横移動を行い的確なつぼ位置での指圧、マッサージ治療を行う。
【００６５】
このようにモータ５１と電動機５３によって回動ワイヤ７０と操作ワイヤ８０を回動操作し、しかもモータ５１と電動機５３の作動タイミングや回転速度を制御することにより、回動ワイヤ７０を操作ワイヤ８０による横移動体２５，２５の最適の変位形態に制御する。なお、かかる回動ワイヤ７０や操作ワイヤ８０の回動制御は、モータ５１と電動機５３をステッピングモータによるインバータ制御により実施するものであり、具体的な制御は各種施療形態において異なる。
【００６６】
なお、必要に応じて本件発明のウォーターベッド構造の貯水槽１に低周波治療器やバブル発泡装置や遠赤外線治療器等の付属機器を付設することによりよい効果的なマッサージ治療を施術することができる。
【００６７】
なお、本発明は上述した実施形態等に限られず、上述した実施形態等の中で開示した各構成を相互に置換したり組み合わせを変更したりした構成、公知技術並びに上述した実施形態等の中で開示した各構成を相互に置換したり組み合わせを変更したりした構成、等も含まれる。
【符号の説明】
【００６８】
Ａ    ウォーターベッド
１    貯水槽
３    槽ケース
３ａ  開口部
３ｂ  槽ケース底部
５    可撓性シート
７    スプロケット
９ａ，９ｂ  前後軸
１０    基台レール
１１    左右軸支持台
１３    回動チェーン
１５    ノズル基台
１７    回転軸
１７ａ  スプライン軸
１９    ピニオン
２１    ラック
２１ａ  上方ラック
２１ｂ  下方ラック
２３    ラックレール
２５    横移動体
２７ａ，２７ｂ  支持脚体
２９    ラック板
２９ａ  上方ラック板
２９ｂ  下方ラック板
３３    移動レール
３５，５５  噴射ノズル
３７    ノズル台
３９    チェーン連結部
４１    噴射ホース
４３    ベベルギヤ
４５    入力ギヤ
４７ａ    出力ベベルギヤ
４９    螺旋軸
４９−１  右螺旋軸
４９−２  左螺旋軸
５１    モータ
５３    電動機
５７    ギヤ
５９    ウォームギヤ
５９ａ  ウォーム
５９ｂ  ウォームホイール
６１    ガイド
６３ａ，６３ｂ  支持板
７０    回動ワイヤ
７１    前ワイヤローラ
７２    後ワイヤローラ
７５    転動子
８０    操作ワイヤ
８１    第１ローラ
８２    第２ローラ
８３    第１ロープ転換ローラ
８４    第２ロープ転換ローラ
８５    折返しローラ
８６    滑動転子
８７    前後レール
【図１】
2015154909.tif 000003
【図２】
2015154909.tif 000004
【図３】
2015154909.tif 000005
【図４】
2015154909.tif 000006
【図５】
2015154909.tif 000007
【図６】
2015154909.tif 000008
【図７】
2015154909.tif 000009
【図８】
2015154909.tif 000010
【図９】
2015154909.tif 000011
【図１０】
2015154909.tif 000012
【図１１】
2015154909.tif 000013
【図１２】
2015154909.tif 000014
【図１３】
2015154909.tif 000015